(57)【特許請求の範囲】
【請求項１】
記録信号波形を補正する複数の項目について、それぞれ複数種類の補正データを識別可能かつ複数の記録速度倍率で共用可能に用意し、記録に使用する記録速度倍率に応じて予め定められた、各項目の補正データの選択情報の組合せに基づき、各項目の該当する補正データをそれぞれ選択し、記録信号波形に対し該選択された各項目の補正データの組合せに相当する補正を行う光ディスク記録における記録信号波形補正方法。
【請求項２】
記録信号波形を補正する複数の項目について、それぞれ複数種類の補正データを識別可能かつ複数のディスク種類および複数の記録速度倍率で共用可能に用意し、記録に使用するディスク種類および記録速度倍率に応じて予め定められた、各項目の補正データの選択情報の組合せに基づき、各項目の該当する補正データをそれぞれ選択し、記録信号波形に対し該選択された各項目の補正データの組合せに相当する補正を行う光ディスク記録における記録信号波形補正方法。
【請求項３】
前記項目が、時間軸に関する項目を含む請求項１または２に記載の光ディスク記録における記録信号波形補正方法。
【請求項４】
前記時間軸に関する項目が、時間軸に関する記録ストラテジー（ｎ−Ｋ）Ｔ＋α(nT)−β(mT)または（ｎ−Ｋ）Ｔ＋α(nT)−β(mT)−γ(m,n)＋λ(n,m)のα(nT)値、β(mT)値、γ(m,n)値、λ(n,m)値のいずれか１または２以上の項目を含む請求項３記載の光ディスク記録における記録信号波形補正方法。
【請求項５】
前記時間軸に関する項目が、記録信号波形の立ち上がり部分に付加する付加パルスのパルス幅に関する項目を含む請求項３または４記載の光ディスク記録における記録信号波形補正方法。
【請求項６】
前記項目が、記録パワーに関する項目を含む請求項１から５のいずれか１つに記載の光ディスク記録における記録信号波形補正方法。
【請求項７】
前記記録パワーに関する項目が、記録信号波形の立ち上がり部分に付加する付加パルスのパルス振幅に関する項目を含む請求項６記載の光ディスク記録における記録信号波形補正方法。
【請求項８】
記録信号波形を補正する複数の項目について、それぞれ複数種類の補正データを用意し、該複数種類の補正データを識別可能かつ複数の記録速度倍率で共用可能に記憶手段に保存し、併せて、記録速度倍率に応じて各項目について使用する補正データの選択情報の組合せを別途記憶手段に保存する光ディスク記録における記録信号波形補正データの保存方法。
【請求項９】
記録信号波形を補正する複数の項目について、それぞれ複数種類の補正データを用意し、該複数種類の補正データを識別可能かつ複数のディスク種類および記録速度倍率で共用可能に記憶手段に保存し、併せて、ディスク種類および記録速度倍率に応じて各項目について使用する補正データの選択情報の組合せを別途記憶手段に保存する光ディスク記録における記録信号波形補正データの保存方法。
【請求項１０】
前記項目が、記録信号の信号長に応じて補正データの値が変動する項目を含む請求項８または９に記載の光ディスク記録における記録信号波形補正データの保存方法。
【請求項１１】
記録信号の信号長に応じて補正データの値が変動しない項目について、ディスク種類および記録速度倍率に応じて使用する補正データを、選択情報を媒介させずに直接保存する請求項１０記載の光ディスク記録における記録信号波形補正データの保存方法。
【請求項１２】
記録信号波形を補正する複数の項目について、それぞれ複数種類の補正データを識別可能にかつ複数の記録速度倍率で共用可能に集合した第１のテーブルと、記録速度倍率に応じて各項目について使用する補正データの選択情報の組合せを集合した第２のテーブルを保存する記憶手段と、
記録に使用する記録速度倍率に応じて、前記第２のテーブルから、各項目について使用する補正データの選択情報の組合せを読み出し、該選択情報の組合せに基づき、前記第１のテーブルから、各項目の該当する補正データをそれぞれ選択し、記録信号波形に対し該選択された補正データの組合せに相当する補正を行う記録信号補正制御手段と
を具備してなる光ディスク記録装置。
【請求項１３】
記録信号波形を補正する複数の項目について、それぞれ複数種類の補正データを識別可能にかつ複数のディスク種類および記録速度倍率で共用可能に集合した第１のテーブルと、ディスク種類および記録速度倍率に応じて各項目について使用する補正データの選択情報の組合せを集合した第２のテーブルを保存する記憶手段と、
記録に使用するディスク種類および記録速度倍率に応じて、前記第２のテーブルから、各項目について使用する補正データの選択情報の組合せを読み出し、該選択情報の組合せに基づき、前記第１のテーブルから、各項目の該当する補正データをそれぞれ選択し、記録信号波形に対し該選択された補正データの組合せに相当する補正を行う記録信号補正制御手段と
を具備してなる光ディスク記録装置。
【発明の詳細な説明】
【０００１】
【発明の属する技術分野】
この発明は、光ディスク記録における記録信号波形補正方法、記録信号波形補正データの保存方法および光ディスク記録装置に関し、メモリに保存する補正データの情報量の削減を図ったものである。
【０００２】
【従来の技術】
ＣＤ−Ｒ，ＣＤ−ＲＷ等の記録可能型ＣＤやＤＶＤ−Ｒ、ＤＶＤ＋ＲＷ、ＤＶＤ−ＲＡＭ、ＤＶＤ−ＲＷ等の記録可能型ＤＶＤ等の記録可能型光ディスクの記録においては、同じ記録信号でレーザ光を駆動しても、ディスク種類（フォーマットの違いではなく、同一フォーマットで記録材料、メーカー、型番等が違うものをいう。）に応じて、記録膜の感度や熱の伝わり方に違いが生じ、このため、形成されるピット、ランドの前位置、後位置がディスク種類ごとに変化し、再生信号のジッタ（時間軸方向のずれ）、デビエーション（正規の信号長に対する偏差）等の特性に違いが生じる。このため、ディスク種類にかかわらず常に最適な記録品位が確保されるように、ディスク種類に応じて記録信号波形の時間軸やレベルを補正する必要がある。従来の光ディスク記録装置は、記録信号波形に付与する時間軸やレベル等のディスク種類ごとの補正データ（いわゆる記録ストラテジー）がメーカーから提供されてメモリに保存されており、記録時に、記録に使用するディスク種類を判別し、該当する記録ストラテジーをメモリから読み出して、記録信号波形の補正を行っていた。記録信号波形を補正する項目は通常複数あり、従来の光ディスク記録装置においては、ディスク種類ごとに、各項目の補正データをメモリに保存していた。
【０００３】
【発明が解決しようとする課題】
記録可能型光ディスク方式の普及とともに、市販されるディスク種類（特にメーカー数）が増え、メモリに保存すべき補正データ量が次第に増大している。また、光ディスク記録装置は、一般に記録速度倍率をユーザが選択して記録を行えるように設定されているが、同一ディスク種類でも記録速度倍率ごとに適正な補正値が異なるので、記録速度倍率ごとの補正データをメモリに保存する必要がある。特に、最近はユーザが選択できる記録速度倍率の種類が次第に増加しているので、同一ディスク種類についてメモリに保存すべき補正データ数が増大している。その結果、メモリに保存すべき補正データの情報量が飛躍的に増大し、大容量のメモリが必要となっていた。いくつかのディスク種類をグループ化して共通の記録ストラテジーを設定することにより補正データの情報量を削減することも考えられるが、グループ内の全てのディスク種類に対し、全ての項目について適正な波形補正を行えるように各項目の補正データを調整するのは困難であった。
【０００４】
この発明は、上述の点に鑑みてなされたもので、光ディスク種類ごとに各補正項目について適正な波形補正を行えるとともに、メモリに保存する補正データの情報量を削減できるようにした光ディスク記録における記録信号波形補正方法、記録信号波形補正データの保存方法および光ディスク記録装置を提供しようとするものである。
【０００６】
【課題を解決するための手段】
この発明の記録信号波形補正方法は、記録信号波形を補正する複数の項目について、それぞれ複数種類の補正データを識別可能かつ複数の記録速度倍率で共用可能に用意し、記録に使用する記録速度倍率に応じて予め定められた、各項目の補正データの選択情報の組合せに基づき、各項目の該当する補正データをそれぞれ選択し、記録信号波形に対し該選択された各項目の補正データの組合せに相当する補正を行うものである。すなわち、同一のディスク種類では、記録速度倍率が異なっても、一部の項目について補正データの数値が異なり、他の項目は補正データの数値が共通している場合があり、そのような記録速度倍率どうしで、補正データの数値が共通している項目の補正データを共用することにより、記憶手段に保存する情報量を削減することができる。
【０００７】
この発明の記録信号波形補正方法は、記録信号波形を補正する複数の項目について、それぞれ複数種類の補正データを識別可能かつ複数のディスク種類および複数の記録速度倍率で共用可能に用意し、記録に使用するディスク種類および記録速度倍率に応じて予め定められた、各項目の補正データの選択情報の組合せに基づき、各項目の該当する補正データをそれぞれ選択し、記録信号波形に対し該選択された各項目の補正データの組合せに相当する補正を行うものである。すなわち、複数のディスク種類の複数の記録速度倍率どうしで、補正データの数値が共通している項目の補正データを共用することにより、記憶手段に保存する情報量をより削減することができる。
【０００８】
この発明の記録信号波形補正方法において、前記項目は、例えば、時間軸に関する項目を含むことができる。この場合、時間軸に関する項目は、例えば、時間軸に関する記録ストラテジー（ｎ−Ｋ）Ｔ＋α(nT)−β(mT)または（ｎ−Ｋ）Ｔ＋α(nT)−β(mT)−γ(m,n)＋λ(n,m)のα(nT)値、β(mT)値、γ(m,n)値、λ(n,m)値のいずれか１または２以上の項目を含むことができる。また、時間軸に関する項目は、例えば、記録信号波形の立ち上がり部分に付加する付加パルスのパルス幅に関する項目を含むことができる。また、前記項目は、例えば、記録パワーに関する項目を含むことができる。この場合、前記記録パワーに関する項目は、例えば、記録信号波形の立ち上がり部分に付加する付加パルスのパルス振幅に関する項目を含むことができる。
【００１０】
この発明の記録信号波形補正データの保存方法は、記録信号波形を補正する複数の項目について、それぞれ複数種類の補正データを用意し、該複数種類の補正データを識別可能かつ複数の記録速度倍率で共用可能に記憶手段に保存し、併せて、記録速度倍率に応じて各項目について使用する補正データの選択情報の組合せを別途記憶手段に保存するものである。
【００１１】
この発明の記録信号波形補正データの保存方法は、記録信号波形を補正する複数の項目について、それぞれ複数種類の補正データを用意し、該複数種類の補正データを識別可能かつ複数のディスク種類および記録速度倍率で共用可能に記憶手段に保存し、併せて、ディスク種類および記録速度倍率に応じて各項目について使用する補正データの選択情報の組合せを別途記憶手段に保存するものである。
【００１２】
この発明の記録信号波形補正データの保存方法において、前記項目は、例えば、記録信号の信号長に応じて補正データの値が変動する項目を含むことができる。記録信号の信号長に応じて補正データの値が変動する項目は、補正データのデータ量が多くなるので、この発明を適用することにより、データ量を大幅に削減することができる。また、記録信号の信号長に応じて補正データの値が変動しない項目については、データ量が比較的少ないので、ディスク種類および記録速度倍率に応じて使用する補正データを、選択情報を媒介させずに直接保存することができる。
【００１４】
この発明の光ディスク記録装置は、記録信号波形を補正する複数の項目について、それぞれ複数種類の補正データを識別可能にかつ複数の記録速度倍率で共用可能に集合した第１のテーブルと、記録速度倍率に応じて各項目について使用する補正データの選択情報の組合せを集合した第２のテーブルを保存する記憶手段と、記録に使用する記録速度倍率に応じて、前記第２のテーブルから、各項目について使用する補正データの選択情報の組合せを読み出し、該選択情報の組合せに基づき、前記第１のテーブルから、各項目の該当する補正データをそれぞれ選択し、記録信号波形に対し該選択された補正データの組合せに相当する補正を行う記録信号補正制御手段とを具備してなるものである。
【００１５】
この発明の光ディスク記録装置は、記録信号波形を補正する複数の項目について、それぞれ複数種類の補正データを識別可能にかつ複数のディスク種類および記録速度倍率で共用可能に集合した第１のテーブルと、ディスク種類および記録速度倍率に応じて各項目について使用する補正データの選択情報の組合せを集合した第２のテーブルを保存する記憶手段と、記録に使用するディスク種類および記録速度倍率に応じて、前記第２のテーブルから、各項目について使用する補正データの選択情報の組合せを読み出し、該選択情報の組合せに基づき、前記第１のテーブルから、各項目の該当する補正データをそれぞれ選択し、記録信号波形に対し該選択された補正データの組合せに相当する補正を行う記録信号補正制御手段とを具備してなるものである。
【００１６】
この発明の光ディスク記録装置において、前記記憶手段には、補正項目のほか目標β値やＲＯＰＣ情報等を保存することもできる。
【００１７】
【発明の実施の形態】
この発明の実施の形態を以下説明する。図２はこの発明が適用された光ディスク記録再生装置１（例えば、ＣＤ−ＲディスクとＣＤ−ＲＷディスクの記録再生が可能なＣＤ−Ｒ／ＲＷドライブ）のシステム構成を示すものである。入力装置２８ではオペレータの操作等により記録速度倍率が設定される。ディスクサーボ回路１６は、システムコントローラ１９からの指令により、スピンドルモータ１２を、設定された記録速度倍率で線速度一定（１倍速時は１．２ｍ／ｓ〜１．４ｍ／ｓ、２倍速時は１倍速時の２倍、４倍速時は１倍速時の４倍、……）で回転制御する。この線速度一定制御は、ＣＤ−ＷＯ規格の場合、プリグループのウォブル（Ｗｏｂｂｌｅ）が２２．０５kHz になるように規定されているので、光ヘッド１３から出力されるトラッキングエラー信号の残留分からウォブルを検出して、これが所定の周波数（１倍速時は２２．０５kHz 、２倍速時は４４．１kHz 、４倍速時は８８．２kHz 、……）で検出されるようにスピンドルモータ１２をＰＬＬ制御することで実現される。フォーカスサーボおよびトラッキングサーボ回路１８は、システムコントローラ１９からの指令により、光ヘッド１３内の半導体レーザから出射されるレーザ光１１のフォーカスおよびトラッキングを制御する。トラッキング制御は光ディスク１０に形成されたプリグルーブを検出することにより行なわれる。フィードサーボ回路１７はシステムコントローラ１９からの指令により、フィードモータ２０を駆動して光ヘッド１３を光ディスク１０の径方向に移動させる。
【００１８】
光ディスク１０に記録すべき入力信号は、記録速度倍率に応じた速度で、ディジタル信号の場合は直接記録信号形成回路２２に入力され、アナログ信号の場合はＡ／Ｄ変換器２４を経て記録信号形成回路２２に入力される。記録信号形成回路２２は、入力データにインタリーブをかけて、エラーチェックコードを付与し、またＴＯＣおよびサブコード生成回路２３で生成されるＴＯＣ情報およびサブコード情報を付与し、ＥＦＭ変調してＣＤ規格のフォーマットおよび記録速度倍率に応じた転送レートで一連のシリアルデータを形成し、記録信号として出力する。この記録信号は、ドライブインターフェイス１５を介して、記録信号補正回路２６（記録ストラテジー回路）で、使用するディスク種類および記録速度倍率等に応じて合成された記録ストラテジーによる変調を受けてレーザ発生回路２５に入力される。レーザ発生回路２５は記録信号波形に応じて光ヘッド１３内の半導体レーザを駆動してレーザ光１１を光ディスク１０の記録面に照射し、ピットを形成して記録を行なう。この時のレーザパワーは記録速度倍率および必要に応じて線速度に応じた値に指令され、ＡＬＰＣ（Automatic Laser Power Control ）回路でこの指令されたパワーに高精度に制御される。これにより、光ディスク１０にはＣＤ−ＷＯ規格のフォーマット、転送速度および線速度（１．２〜１．４ｍ／ｓ）でデータが記録される。以上のようにして記録した光ディスク１０にボトムパワー（再生パワー）のレーザ光を照射して再生すると、読出データは信号再生処理回路３０で復調され、そのままディジタル信号として、またＤ／Ａ変換器３１でアナログ信号に変換されて出力される。
【００１９】
図２のシステムコントローラ１９による記録制御の制御ブロックを図１に示す。記録速度倍率設定手段２８は図２の入力装置２８に相当し、操作者の操作により記録速度倍率（×１，×２，×４，…）を設定する。ディスク種類判別手段３２は、装置にセットされている光ディスク１０のディスク種類を判別するものである。ディスク種類は、例えば光ディスク１０に予め記録されているディスクＩＤのうちディスク種類を示す情報を利用して判別することができる。記録信号補正制御手段３５において、補正データ記憶手段３４は、記録信号を補正する複数の項目について、それぞれ複数種類の補正データを記憶している。補正データ記憶手段３４は第１のテーブル３４−１と第２のテーブル３４−２を具備する。第１のテーブル３４−１には、補正項目ごとに、各ピット長、ランド等ごとの補正データ群が複数組用意され、該複数組の補正データ群が、個々の組を識別可能かつ複数のディスク種類および記録速度倍率で共用可能に保存されている。第２のテーブル３４−２には、ディスク種類および記録速度倍率ごとに、各補正項目について適用する補正データ群の選択情報の組合せが記憶されている。補正項目のうち、ディスク種類や記録速度倍率に応じて変化しピット長やランド長によっては変化しない項目については、第２のテーブル３４−２に直接記憶させることができる。
【００２０】
制御手段３８は、入力されるディスク種類および記録速度倍率の情報に応じて、補正項目ごとに、補正量のデータを補正データ記憶手段３４から読み出す。すなわち、第１のテーブル３４−１に補正量のデータが記憶されている補正項目については、ディスク種類および記録速度倍率に応じて、第２のテーブル３４−２から補正項目ごとの選択情報を読み出し、該選択情報の組合せに基づき、第１のテーブルから補正項目ごとに、該当する補正データ群を読み出す。また、第２のテーブル３４−２に補正量のデータが直接記憶されている補正項目については、ディスク種類および記録速度倍率に応じて、第２のテーブル３４−２から補正項目ごとの補正量のデータを直接読み出す。制御手段３８は補正データ記憶手段３４から読み出された各補正項目の補正量のデータを組み合わせて記録ストラテジーを合成し、記録信号補正回路２６に設定する。記録信号補正回路２６は、記録時に、該設定された記録ストラテジーに応じて、順次入力される記録信号のピット形成部分やランド形成部分に時間軸補正を加え、また、必要に応じて部分パルスの付加（後述するトップパワー付加パルス、ボトムパワーオフパルス等。図６参照）を行う。また、レーザ発生回路２５を制御して、レーザパワーを制御する。また、ディスクサーボ回路１６を制御して、指令された記録速度倍率に相当する速度にスピンドルモータ１２を回転制御する。
【００２１】
図１の記録信号補正制御手段３５によるトップパワー（記録パワー）のレーザ光の照射時間制御の具体的例について説明する。
【００２２】
〔具体例１〕
時間軸に関する記録ストラテジーとして（ｎ−Ｋ）Ｔ＋α(nT)−β(mT)を使用する場合について説明する。図３は、記録ストラテジー（ｎ−Ｋ）Ｔ＋α(nT)−β(mT)による時間軸補正の概念図である。（ａ）は補正前の記録信号波形、（ｂ）は該記録信号波形に補正項目−ＫＴの補正をした記録信号波形、（ｃ）はさらに補正項目＋α(nT)，−β(mT)の補正をしたレーザ駆動に用いられる最終的な記録信号波形である。（ｂ）の補正項目−ＫＴによる補正は、（ａ）の補正前の記録信号波形の立ち下がりタイミング（レーザ光の照射終了タイミング）をディスク種類および記録速度倍率に応じて補正するもので、ピット長やランド長に無関係に一定値である。Ｋの値が正の場合は該立ち下がりタイミングを早める（記録パワーの持続時間を短縮する）方向に働き、負の場合は該立ち下がりタイミングを遅らせる（記録パワーの持続時間を伸長する）方向に働く。（ｃ）の補正項目＋α(nT)による補正は、ＫＴによる補正がされた記録パワーの終了タイミングを、形成するピット長ｎＴに応じてさらに微調整するもので、α(nT)の値が正の場合は該終了タイミングを遅らせる方向に働き、負の場合は該終了タイミングを早める方向に働く。（ｃ）の補正項目−β(mT)による補正は、形成するピットの直前のブランク長ｍＴに応じて記録信号の記録パワーの開始タイミングを微調整するもので、β(mT)の値が正の場合は該開始タイミングを遅らせる（記録パワーの持続時間を短縮する）方向に働き、負の場合は該開始タイミングを早める（記録パワーの持続時間を伸長する）方向に働く。
【００２３】
補正データ記憶手段３４の第１のテーブル３４−１に記憶される補正項目α(nT)の複数種類のデータ群の一例を表１に示す。なお、表１において、補正項目α(nT)の値は、１Ｔに対する比率（％）で表している。
【表１】
0004051904.tif 000002
【００２４】
補正データ記憶手段３４の第１のテーブル３４−１に記憶される補正項目β(mT)の複数種類のデータ群の一例を表２に示す。なお、表２において、補正項目β(mT)の値は、１Ｔに対する比率（％）で表している。
【表２】
0004051904.tif 000003
【００２５】
記録信号補正制御手段３５の第２のテーブル３４−２に記憶されるデータの一例を表３に示す。
【表３】
0004051904.tif 000004
【００２６】
表３からわかるように、第２のテーブル３４−２には、ディスク種類（ディスクＩＤ）および記録速度倍率ごとに、−Ｋ値が直接記憶され、補正項目α(nT)が第１のテーブル３４−１の補正項目α(nT)のデータ群名（表１のＡ１，Ａ２，Ａ３，…）で記憶され、補正項目β(mT)が第１のテーブル３４−１の補正項目β(mT)のデータ群名（表２のＢ１，Ｂ２，Ｂ３，…）で記憶されている。つまり、データ群名が個々のデータ群の識別情報であり、該識別情報がデータ群の選択情報として利用されている。
【００２７】
制御手段３８による記録信号の補正制御を図４を参照して説明する。装置に光ディスク１０が装着されると（Ｓ１）、ディスクＩＤによりディスク種類が判別される（Ｓ２）。次いで、操作者により記録速度倍率が指令されると（Ｓ３）、判別されたディスク種類および指令された記録速度倍率に応じて、第２のテーブル３４−２から、該当する補正項目−Ｋの値、補正項目α(nT)のデータ群名、補正項目β(mT)のデータ群名を読み出す（Ｓ４）。読み出された補正項目α(nT)のデータ群名、補正項目β(mT)のデータ群名を選択情報として、第１のテーブル３４−１から補正項目α(nT)のデータ群および補正項目β(mT)のデータ群を読み出す（Ｓ５）。以上のようにして読み出された補正量−Ｋ値、α(nT)値、β(mT)値の各データを組み合わせて記録ストラテジーを合成し、記録信号補正回路２６に設定して記録の準備が整い（Ｓ６）、操作者による記録開始指令を待って、記録信号の時間軸補正を開始し、該補正された記録信号でレーザ発生回路２５を駆動して、光ディスク１０への記録を行う（Ｓ７）。
【００２８】
〔具体例２〕
具体例１では、補正項目として、−Ｋ値、α(nT)値、β(mT)値を採用したが、さらに別の補正項目を追加することもできる。例えば、長いピットを形成する場合ほど熱の蓄積が大きくなってピット前端が手前（記録の進行方向と逆方向）に伸びる傾向があるので、より短いピットを形成する場合に比べて、該ピットの前端部を形成するための記録パワーのレーザ光の照射開始タイミングを相対的に遅らせる。また、短いランドを形成する場合ほど、その次のピット形成時の熱が該ランドを経てその前のピットに伝わって、該前のピットの後端が先方（記録の進行方向）に伸びる傾向があるので、より長いランドを形成する場合に比べて該前のピットの後端部を形成するための記録パワーのレーザ光の照射終了タイミングを相対的に早める。図５は、このような考えに基づき、ピット長に応じたトップパワーの照射開始タイミングの補正項目−γ(m,n)と、ランド長に応じたトップパワーの照射終了タイミングの補正項目＋λ(n,m)を追加した、記録ストラテジー（ｎ−Ｋ）Ｔ＋α(nT)−β(mT)−γ(m,n)＋λ(n,m)による時間軸補正の概念図である。（ａ）は補正前の記録信号波形、（ｂ）は該記録信号波形に−ＫＴの補正をした記録信号波形、（ｃ）はさらに＋α(nT)＋λ(n,m)，−β(mT)−γ(m,n)の補正をしたレーザ駆動に用いられる最終的な記録信号波形である。
【００２９】
補正データ記憶手段３４の第１のテーブル３４−１には、補正項目α(nT)の複数種類のデータ群（表１）、補正項目β(mT)の複数種類のデータ群（表２）のほか、補正項目λ(n,m)の複数種類のデータ群、補正項目γ(m,n)の複数種類のデータ群が記憶される。第１のテーブル３４−１に記憶される補正項目γ(m,n)の複数種類のデータ群の一例を表４に示す。なお、表４において、補正項目γ(m,n)の補正量は、１Ｔに対する比率（％）で表している。また、表４に次ピット長が３Ｔのときの補正項目γ(m,3)の補正量が規定されていないのは、次ピット長が３Ｔのときの補正項目γ(m,3)の補正量が０となるように補正項目β(mT)の補正量を設定しているためである。
【表４】
0004051904.tif 000005
【００３０】
第１のテーブル３４−１に記憶される補正項目λ(n,m)の複数種類のデータ群の一例を表５に示す。なお、表５において、補正項目λ(n,m)の補正量は、１Ｔに対する比率（％）で表している。また、表５に次ランド長が３Ｔのときの補正項目λ(n,3)の補正量が規定されていないのは、次ランド長が３Ｔのときの補正項目λ(n,3)の補正量が０となるように補正項目α(nT)の補正量を設定しているためである。
【表５】
0004051904.tif 000006
【００３１】
第２のテーブル３４−２に記憶されるデータの一例を表６に示す。
【表６】
0004051904.tif 000007
【００３２】
制御手段３８による記録ストラテジーの合成および記録信号補正回路２６への設定制御は前記図４について説明したのと同様である。すなわち、ディスク種類および記録速度倍率に応じて、第２のテーブル３４−２から、該当する−Ｋ値と、該当するα(nT)、β(mT)、γ(m,n)、λ(n,m)の各データ群名を読み出し、該各データ群名に基づき第１のテーブル３４−１からα(nT)値、β(mT)値、γ(m,n)値、λ(n,m)値を読み出し、これらを組み合わせて記録ストラテジーを合成し、記録信号補正回路２６に設定する。
【００３３】
〔具体例３〕
記録信号波形として、図６に示すような波形を使用する場合がある。これは、トップパワーの開始当初にトップパワー付加パルス４０を付加して（トップパワーよりも高くして）、ピット前端部分の形成を良好にし、また、ボトムパワーの開始当初にボトムパワーオフパルス４２を付加して（ボトムパワーよりも低くして）、前のピット形成時の熱をそこで遮断して次のピット形成に影響を与えないようにしたものである。ピット長ｎＴに応じてトップパワー付加パルス４０のパルス幅ΔＴｔ(nT)や振幅ΔＰｔ(nT)を可変制御したり、ランド長ｍＴに応じてボトムパワーオフパルス４２のパルス幅ΔＴｂ(mT)や振幅ΔＰｂ(mT)を可変制御する場合がある。そこで、個々の補正項目ΔＴｔ(nT)、ΔＰｔ(nT)、ΔＴｂ(mT)、ΔＰｂ(mT)について、第１のテーブル３４−１にそれぞれ複数種類ずつデータ群を保存する。第１のテーブル３４−１に保存するトップパワー付加パルス４０のパルス幅ΔＴｔ(nT)の複数種類のデータ群Ｅ１，Ｅ２，Ｅ３，…のテーブル形式の一例（データ値は省略）を表７に示す。
【表７】
0004051904.tif 000008
【００３４】
第１のテーブル３４−１に保存するトップパワー付加パルス４０の振幅ΔＰｔ(nT)の複数種類のデータ群Ｆ１，Ｆ２，Ｆ３，…のテーブル形式の一例（データ値は省略）を表８に示す。
【表８】
0004051904.tif 000009
【００３５】
第１のテーブル３４−１に保存するボトムパワーオフパルス４２のパルス幅ΔＴｂ(mT)の複数種類のデータ群Ｇ１，Ｇ２，Ｇ３，…のテーブル形式の一例（データ値は省略）を表９に示す。
【表９】
0004051904.tif 000010
【００３６】
第１のテーブル３４−１に保存するボトムパワーオフパルス４２の振幅ΔＰｂ(mT)の複数種類のデータ群Ｈ１，Ｈ２，Ｈ３，…のテーブル形式の一例（データ値は省略）を表１０に示す。
【表１０】
0004051904.tif 000011
第１のテーブル３４−１には、このほか補正項目α(nT)の複数種類のデータ群（表１）、補正項目β(mT)の複数種類のデータ群（表２）が記憶される。このとき、第２のテーブル３４−２に記憶されるデータの一例を表１１に示す。
【表１１】
0004051904.tif 000012
【００３７】
制御手段３８による記録ストラテジーの合成および記録信号補正回路２６への設定制御は前記図４について説明したのと同様である。すなわち、ディスク種類および記録速度倍率に応じて、第２のテーブル３４−２から、該当する−Ｋ値と、該当するα(nT)、β(mT)、ΔＴｔ(nT)、ΔＰｔ(nT)、ΔＴｂ(mT)、ΔＰｂ(mT)の各データ群名を読み出し、該各データ群名に基づき第１のテーブル３４−１からα(nT)値、β(mT)値、ΔＴｔ(nT)、ΔＰｔ(nT)、ΔＴｂ(mT)、ΔＰｂ(mT)値を読み出し、これらを組み合わせて記録ストラテジーを合成し、記録信号補正回路２６に設定する。
【００３８】
なお、前記実施の形態では、個々の補正パラメータ−Ｋ、α(nT)、β(mT)、−γ(m,n)、＋λ(n,m)、ΔＴｔ(nT)、ΔＰｔ(nT)、ΔＴｂ(mT)、ΔＰｂ(mT)を補正項目の単位としたが、これに限らず、複数の補正パラメータの組合せを補正項目の単位とすることができる。例えば、前記各具体例では、第１のテーブル３４−１に補正項目α(nT)のデータ群のテーブルと補正項目β(mT)のデータ群のテーブルを個別に用意したが、これに代えて、表１２に示すように、補正項目α(nT)と補正項目β(mT)を組み合わせて個々のデータ群ＡＢ１，ＡＢ２，ＡＢ３，…を用意して、第１のテーブル３４−１に保存することもできる。この場合、第２のテーブル３４−２には、表３の「α(nT)値のデータ群名」および「β(mT)値のデータ群名」に代えて、「α(nT)値とβ(mT)値の組合せデータ群名」として、データ群名ＡＢ１，ＡＢ２，ＡＢ３，…を保存する。
【表１２】
0004051904.tif 000013
【００３９】
また、具体例２では、第１のテーブル３４−１に、補正項目α(nT)のデータ群のテーブル、補正項目β(mT)のデータ群のテーブル、補正量γ(m,n)のデータ群のテーブル、補正量λ(n,m)のデータ群のテーブルを個別に用意したが、図５からわかるように、トップパワーのレーザ光の照射開始タイミングの補正量はβ(mT)＋γ(m,n)であり、照射終了タイミングの補正量はα(nT)＋λ(n,m)であるので、補正項目α(nT)、β(mT)、γ(m,n)、λ(n,m)のテーブルを個別に用意するのに代えて、補正項目β(mT)＋γ(m,n)の加算値のテーブルと、補正項目α(nT)＋λ(n,m)の加算値のテーブルを用意して、第１のテーブル３４−１に保存することもできる。この場合、第２のテーブル３４−２には、表３のデータ群識別情報項目「α(nT)値のデータ群名」および「β(mT)値のデータ群名」に代えて、データ群識別情報項目「α(nT)＋λ(n,m)値のデータ群名」および「β(mT)＋γ(m,n)値のデータ群名」を設けて、該当するデータ群名を保存する。
【００４０】
また、前記各具体例では、第２のテーブル３４−２にディスク種類および記録速度倍率ごとの−Ｋ値を直接記憶したが、第２のテーブル３４−２には、このほかに、ピット長やランド長によらない情報として、ディスク種類および記録速度倍率ごとの目標アシンメトリ値やＲＯＰＣ（Running Optimum Power Control：実時間最適パワー制御）に関する情報等を直接記憶することができる。
【００４１】
また、以上の実施の形態では、この発明をＣＤ規格の光ディスク記録に適用した場合について示したが、ＤＶＤ規格等のマーク長記録方式の他の規格の光ディスク記録にも適用することができる。
【図面の簡単な説明】
【図１】  図２のシステムコントローラ１９による記録制御の制御ブロック図である。
【図２】  この発明が適用された光ディスク記録再生装置のシステム構成を示すブロック図である。
【図３】  記録ストラテジー（ｎ−Ｋ）Ｔ＋α(nT)−β(mT)による時間軸補正の概念を示す波形図である。
【図４】  図１の制御手段３８による記録信号の補正制御を示すフローチャートである。
【図５】  記録ストラテジー（ｎ−Ｋ）Ｔ＋α(nT)−β(mT)−γ(m,n)＋λ(n,m)による時間軸補正の概念を示す波形図である。
【図６】  トップパワー付加パルスおよびボトムパワーオフパルスを付加した記録信号を示す波形図である。
【符号の説明】
１０…光ディスク、３４…補正データ記憶手段、３４−１…第１のテーブル、３４−２…第２のテーブル、３５…記録信号補正制御手段
【図１】
0004051904.tif 000014
【図２】
0004051904.tif 000015
【図３】
0004051904.tif 000016
【図４】
0004051904.tif 000017
【図５】
0004051904.tif 000018
【図６】
0004051904.tif 000019